(57)【特許請求の範囲】
【請求項１】
長さ方向の中央部が厚さが薄い薄層部からなりその両端部が厚さが厚い厚層部からなる基材の、少なくとも一端の厚層部に固定手段が設けられてなる固定用テープであって、前記基材の厚層部が１kg/25mm の荷重下で２倍未満の伸度を有する一方、前記基材の薄層部が少なくとも１．５kg/25mmの荷重下で３倍以上の長さに伸長可能で、かつ２００％延伸した際の永久歪みが３０％以上であると共に、上記薄層部の厚さが厚層部の厚さの９０％以下であることを特徴とする伸長可能な固定用テープ。
【請求項２】
固定手段が、粘着剤もしくは係止物である請求項１記載の伸長可能な固定用テープ。
【請求項３】
少なくとも１回折りたたまれた請求項１又は２記載の伸長可能な固定用テープ。
【発明の詳細な説明】
【０００１】
【産業上の利用分野】
本発明は、例えば袋や箱などのパッケージ用として、又は例えば紙オムツ、生理用ナプキンなどの衛生用品などを使用後にくるくる丸めて止めて処理する際に好適に使用される伸長可能な固定用テープに関する。
【０００２】
【従来の技術】
従来、例えば紙オムツ等の固定用テープとして、折りたたまれてＺ型に構成された種々の粘着テープが知られている（例えば特公昭５８−３０４０１号、特公昭５２−４７７６９号、特公平１−５６１６３号など）。
【０００３】
【発明が解決しようとする課題】
これらの粘着テープは、いずれも使用時に伸びるタイプではないため、例えば使用済オムツなどをくるくる丸めて処理する際、テープの長さが短いことにより十分な止着ができずに外れてしまったり、またテープを強く引っ張ると伸びないためその力がそのまま物品に伝わり、物品と固定されているテープ片端部が外れてしまうという問題があった。
【０００４】
【課題を解決するための手段】
本発明は上記の問題点を解決するためになされたものであり、使用の際に弱い力で容易に伸ばすことができ、かつその伸びた部分は実質的に縮みにくく、極めて実用的で使いやすい固定用テープを提供することを目的とする。
【０００５】
即ち、本発明は、長さ方向の中央部が厚さが薄い薄層部からなりその両端部が厚さが厚い厚層部からなる基材の、少なくとも一端の厚層部に固定手段が設けられてなる固定用テープであって、前記基材の厚層部が１kg/25mm の荷重下で２倍未満の伸度を有する一方、前記基材の薄層部が少なくとも１．５kg/25mmの荷重下で３倍以上の長さに伸長可能で、かつ２００％延伸した際の永久歪みが３０％以上であると共に、上記薄層部の厚さが厚層部の厚さの９０％以下であることを特徴とする伸長可能な固定用テープに関する。
【０００６】
以下、本発明の実例を図面にもとづいて説明する。
図１は、本発明の伸長可能な固定用テープの実例を示す断面図であり、長さ方向の両端部が厚さが厚い厚層部Ａ１、Ａ２からなり、それらの間の中央部が厚さが薄い薄層部Ｂからなる基材１が、該薄層部Ｂと厚層部Ａ１及びＡ２との境界付近で２回折りたたまれてＺ型に構成されている。  かかる厚層部Ａ１の内面及び厚層部Ａ２の外面には、固定手段として粘着剤層２が設けられ、厚層部Ａ１の外面、及び厚層部Ａ１内面の粘着剤層２に対面する薄層部Ｂの面には、離型剤層３が設けられている。  さらに薄層部Ｂと厚層部Ａ２の内面とを仮着してＺ型形状を保持するための仮着手段４（後述）がＡ２内面に設けられている。
【０００７】
図１において、厚層部Ａ２の外面に設けられた固定手段は、固定用テープの一端を被着体に固定するために必要であり、図１に示したように粘着剤層２が好ましく用いられるが、被着体に応じてその他例えば接着剤やフック状の係止物などを採用することも可能であり、粘着剤層に限定されるものではない。
また、図１においては、厚層部Ａ１の内面に粘着剤層２からなる再剥離用の固定手段を設けた実例を示したが、その使用形態によっては、かかる固定手段を必要としない場合もあり、また上記と同様に固定手段として粘着剤層２以外にも被着体に応じてその他例えば接着剤やフック状の係止物などを採用することも可能である。
【０００８】
図２は、図１の固定用テープを使用の際に展開し伸ばした状態を示す概略図であり、例えば厚層部Ａ１を引っ張ることにより仮着手段４を開放してＺ型を展開すると共に、さらにＡ１を引っ張ることにより薄層部Ｂを必要長さまで伸ばして相手側に粘着剤層２にて固定することができる。
【０００９】
この薄層部Ｂは、固定用テープの全長を長くして物品をくるくる丸めて止着するために伸びることが必要で、手で引っ張って伸ばそうとする力を伸長することで応力を減じ、予め物品に固定されているテープ片端部と被着体との外れを防止し、かつ物品を丸めた後若干の物品の膨張に対する応力も軽減するという目的のためには、使用の際に小さい力で伸びることが必要である。  具体的には、少なくとも１．５ｋｇ／２５ｍｍ  の荷重下で３倍以上の長さに伸長可能であることが必要である。  かかる薄層部Ｂの伸長性が３倍未満の場合は、所定の長さに伸ばすために大きい力が必要となり、予め固定されているテープ片端部が外れたり、テープが伸びにくく使用しづらいというという欠点があり好ましくない。
【００１０】
さらにこの薄層部Ｂは、テープ全長を手で自由に調節したりして、様々な外周を有する物品を丸めて処理（廃棄など）したり、物品と貼り付けた後の物品の膨張を抑えるという目的のためには、伸ばした後にあまり縮まないことが好ましく、具体的には２００％延伸した際の永久歪みが３０％以上、好ましくは５０％以上と、力を除いた後、完全に元に戻らないことが望ましい。  伸長後に大きく縮んでしまうと、その戻る力が大きいことで、予め本テープが物品と固定されている端部、もしくは丸めた後物品を止着もしくは固定する部分が外れてしまうという欠点があり好ましくない。  しかし、若干の縮みは、物品を緊張させて丸めることができる点で好ましい。
【００１１】
また厚層部Ａ１及び／又はＡ２は、該部分に物品に予め固定するための粘着剤、接着剤、係止物（フック状物など）などの固定手段を設けるため、あまり伸長性が大きいと固定部分が伸長によって外れてしまうおそれがあるため、実質的には伸長しにくいことが好ましく、具体的には１ｋｇ／２５ｍｍ  の荷重下で２倍未満、好ましくは１．５倍未満の伸度しか有さないことが望ましい。  しかし、若干の伸びは伸長の際、厚層部と薄層部との結合部における応力集中を、厚層部の若干の伸びが吸収して、強度を保持できるという点から好ましい。
【００１２】
また本発明においては、図２の如く使用の際に、薄層部Ｂの伸びを容易かつスムーズに生じさせると共に、該薄層部Ｂの伸びによりテープ全体の長さを長くして物品をくるくる丸めて止着するため、基材の長さ方向における中央部の薄層部Ｂは、その両端部の厚層部Ａ１、Ａ２より厚さが薄いことが必要で、具体的には薄層部Ｂの厚さが厚層部Ａ１、Ａ２の厚さの９０％以下、好ましくは７０％以下であることが必要である。  薄層部Ｂの厚さが、厚層部Ａ１、Ａ２の厚さの９０％を越える場合、テープを目的の長さまで伸長する際、薄層部Ｂだけでなく厚層部Ａ１、Ａ２も伸びてしまい、止めにくくなったり、固定部分が外れてしまうなど好ましくない。  各部の厚さは、上記条件を満足する限り特に限定されないが、例えば厚層部は４０〜３００μｍ程度、薄層部は３０〜２８０μｍ程度が、本テープを巻物状で長く巻回し長尺化できるという点から好ましい。
【００１３】
図３は、本発明の伸長可能な固定用テープの他例を示す断面図であり、両端部が実質的に非伸長性の厚層部Ａ１、Ａ２で、それらの間の中央部が伸長可能な薄層部Ｂで形成された基材１が、該薄層部Ｂで１回折りたたまれてくの字型に構成されている。  かかる厚層部Ａ１の内面及び厚層部Ａ２の外面には粘着剤層２が設けられ、厚層部Ａ１の外面及び厚層部Ａ２の内面には離型剤層３が設けられている。
【００１４】
図４は、本発明の伸長可能な固定用テープの他例を示す断面図であり、両端部が実質的に非伸長性の厚層部Ａ１、Ａ２で、それらの間の中央部が伸長可能な薄層部Ｂである基材１が、厚層部Ａ２の端部で折りたたまれてくの字型に構成されている。  厚層部Ａ１の内面及びＡ２の外面には粘着剤層２が設けられ、厚層部Ａ１の外面、薄層部Ｂの外面、及び厚層部Ａ２の内面の一部（厚層部Ａ１内面の粘着剤層２に対向する面）には離型剤層３が設けられている。
【００１５】
図５は、本発明の伸長可能な固定用テープの他例を示す断面図であり、両端部が実質的に非伸長性の厚層部Ａ１、Ａ２で、それらの間の中央部が伸長可能な薄層部Ｂである基材１が、厚層部Ａ１の端部で折りたたまれてくの字型に構成されている。  かかる厚層部Ａ１の内面及びＡ２の外面には粘着剤層２が設けられ、薄層部Ｂの内面及び厚層部Ａ２の内面には離型剤層３が設けられている。
【００１６】
図６は、本発明の伸長可能な固定用テープの他例を示す断面図であり、両端部が実質的に非伸長性の厚層部Ａ１、Ａ２で、それらの間の中央部が伸長可能な薄層部Ｂである基材１が、該薄層部Ｂで１回折りたたまれてくの字型に構成されている。  厚層部Ａ１の内面及びＡ２の外面に粘着剤層２が設けられ、厚層部Ａ１の外面及び厚層部Ａ２の内面には離型剤層３が設けられ、さらに厚層部Ａ１内面の先端にはテープのつまみ易さを向上させるためにつまみ片５が設けられている。
【００１７】
図７は、本発明の伸長可能な固定用テープの他例を示す断面図であり、長さ方向の両端部が実質的に非伸長性の厚層部Ａ１、Ａ２で、それらの間の中央部が伸長可能な薄層部Ｂである基材１で構成されている。  かかる厚層部Ａ２の片面に物品との固定用粘着剤層２が設けられ、厚層部Ａ１の片面には物品との仮止め用の再剥離性粘着剤層６が設けられている。  かかる再剥離性粘着剤層６により、使用前はテープを物品に仮止めでき使用時に剥がして再接着させることができる。
【００１８】
図８は、本発明の伸長可能な固定用テープの他例を示す断面図であり、両端部が実質的に非伸長性の厚層部Ａ１、Ａ２で、それらの間の中央部が伸長可能な薄層部Ｂである基材１で構成されており、厚層部Ａ１及びＡ２の片面には粘着剤層２が設けられている。  さらに、厚層部Ａ１の粘着剤層２には、基材７の片面に粘着剤層２を設けてなるリリーステープＣが、本発明の固定用テープの粘着剤層２とリリーステープＣの基材７とが接するように設けられてなる。  かかるリリーステープＣは、厚層部Ａ１の粘着剤層２面を使用するまで保護するためのもので、リリーステープＣは、本発明の固定用テープとともに物品に粘着剤層２を介して固定することができる。
【００１９】
図９では、図８におけるリリーステープＣが、厚層部Ａ２の粘着剤層２も保護できるように基材１とほぼ同じ長さとされており、厚層部Ａ１の粘着剤層２と接する部分には再剥離できるように離型剤層８が設けられており、厚層部Ａ２の粘着剤層２と接する部分には離型剤層はなく、本発明の固定用テープとリリーステープＣは接着固定されている。  この構造とすることにより、本発明の固定用テープをリリーステープＣと共にロール状に巻回した場合の段差を吸収できるという効果がある。
【００２０】
本発明においては、図１の如くＺ型に折りたたまれた固定用テープの、薄層部Ｂの下面とそれと対向する厚層部Ａ２の内面とを仮着することにより、テープ使用前にＺ型が開かないようにすることもできる。  かかる仮着手段４は特に限定されないが、例えばヒートシール、ホットメルト系やメルトブロー状や繊維状の粘着剤もしくは接着剤、プレスによるエンボス方式などにより仮着することができる。
【００２１】
本発明の伸長可能な固定用テープの各部材は、上記特性を有する限り特に限定されないが、基材としては、例えばポリプロピレン、ポリエチレン、エチレンプロピレンゴムあるいはこれらの混合物などのポリオレフィン系プラスチックフィルム、ポリスチレン系、ポリエステル系、ウレタン系のエラストマーフィルムなどの単独もしくは混合物が好ましく用いることができる。
これら厚層部と薄層部とから構成されている基材は、特に限定されないが、Ｔダイやインフレーション法などによる押出成型などの方法により作製することができる。
また粘着剤層も特に限定されず、例えばゴム系、アクリル系などが挙げられ、離型剤層も特に限定されず、シリコーン系、非シリコーン系（長鎖アルキル系など）などが挙げられる。
【００２２】
本発明の伸長可能な固定用テープは、図１０に示す如く、例えばオムツＤの表面に粘着剤層２で厚層部Ａ２を固定し、図１１に示すようにオムツ使用後にくるくる丸めて処理する際に、図２の如く厚層部Ａ１を引き出し、さらに薄層部Ｂを伸ばしてオムツＤへ固定することができる。
【００２３】
また、本発明の伸長可能な固定用テープは、袋のパッケージ用（図１２）、または箱のパッケージ用（図１３）としても用いることができる。
【００２４】
【実施例】
以下、本発明を実施例により説明するが、本発明はこれら実施例に何ら限定されるものではない。  なお、基材はすべてＴダイ押し出し法により作製した。
実施例１
ポリプロピレン（密度０．８９ｇ／ｃｍ３  、ＭＦＲ  ６．０ｇ／１０分）／ポリエチレン（密度０．９２ｇ／ｃｍ３  、ＭＦＲ  ９．０ｇ／１０分）＝８０／２０のブレンド物を用い、厚層部の厚さ１２０μｍ、幅５０ｍｍ、薄層部の厚さ６０μｍ（厚層部の５０％）、幅５０ｍｍの基材を得た。
この基材の両端部（厚層部）に４０μｍ厚のゴム系粘着剤を塗布し、該粘着剤と接する基材部分に離型剤を塗布し、図１の如くＺ型に折りたたみ、本発明の粘着テープのサンプルを得た。
【００２５】
実施例２
基材を、ポリプロピレン（密度０．８９ｇ／ｃｍ３  、ＭＦＲ  ６．０ｇ／１０分）／リニア低密度ポリエチレン（密度０．９３ｇ／ｃｍ３  、ＭＦＲ  ２．１ｇ／１０分、ウルトゼックス２５２０Ｆ  、三井石油化学工業株式会社製）＝６０／４０のブレンド物を用い、厚層部の厚さ１４０μｍ、幅５０ｍｍ、薄層部の厚さ７０μｍ（厚層部の５０％）、幅５０ｍｍに変更した以外は、実施例１と同様にして本発明の粘着テープのサンプルを得た。
【００２６】
比較例１
基材を、ポリプロピレン（密度０．８９ｇ／ｃｍ３  、ＭＦＲ  ６．０ｇ／１０分）を用い、厚層部の厚さ３００μｍ、幅５０ｍｍ、薄層部の厚さ１５０μｍ（厚層部の５０％）、幅５０ｍｍに変更した以外は、実施例１と同様にして粘着テープのサンプルを得た。
【００２７】
比較例２
基材を、ＳＥＢＳ（密度０．８９ｇ／ｃｍ３  、ＭＦＲ  ９．５ｇ／１０分、タフテック  Ｈ１０５２、旭化成工業株式会社製）を用い、厚層部の厚さ１５０μｍ、幅５０ｍｍ、薄層部の厚さ７０μｍ（厚層部の４７％）、幅５０ｍｍに変更した以外は、実施例１と同様にして粘着テープのサンプルを得た。
【００２８】
比較例３
基材を、リニア低密度ポリエチレン（密度０．９２ｇ／ｃｍ３  、ＭＦＲ  １．０ｇ／１０分、アフィニティＥＧ８１００、ダウ・ケミカル日本株式会社製）を用い、厚層部の厚さ１００μｍ、幅５０ｍｍ、薄層部の厚さ５０μｍ（厚層部の５０％）、幅５０ｍｍに変更した以外は、実施例１と同様にして粘着テープのサンプルを得た。
【００２９】
比較例４
実施例２と同じ配合の基材を用い、厚層部の厚さ９０μｍ、幅５０ｍｍ、薄層部の厚さ８５μｍ（厚層部の９４％）、幅５０ｍｍに変更した以外は、実施例１と同様にして粘着テープのサンプルを得た。
【００３０】
実施例及び比較例で得た粘着テープサンプルを、表１に示す条件下で以下の方法により、各部の物性を測定し、その結果を表１に示した。
〔伸長性〕
各サンプルを幅２５ｍｍ、長さ４０ｍｍに切断し、２３℃の雰囲気下で垂直方向に各重さの荷重を吊り下げ、その時の伸びを測定した。  このときの値をＬ１  としし、Ｌ１  ／４０（倍）で与えられた値を表１に示した。
【００３１】
〔永久歪み〕
各サンプル（幅２５ｍｍ、長さ４０ｍｍ）を２３℃の雰囲気下でテンシロンで３００ｍｍ／分の引張速度で２００％延伸し、３分放置後力を解除して、３分後にサンプル長さを測定した。  このときの長さをＬ２  として、（Ｌ２  −４０）／４０  ×１００（％）で与えられる永久歪みを表１に示した。
【００３２】
【表１】
0003567032.tif 000002
【００３３】
〔モニターテスト〕
実施例及び比較例で得た粘着テープサンプルを、パンツタイプの紙オムツに取り付け、男性２０人、女性２０人の人に実際に、パンツタイプの紙オムツを丸めて粘着テープサンプルを引き延ばして貼るという作業をしてもらい、その実用性を評価してもらい以下の基準で結果をまとめ、表２に示した。
○  ４０人中３０人以上が良好と回答
△  ４０人中１０人以上２９人以下が良好と回答
×  ４０人中９人以下が良好と回答
なお、テープ外れについてはその実数（外れた数／４０）で示した。
【００３４】
【表２】
0003567032.tif 000003
【００３５】
【発明の効果】
本発明の伸長可能な固定用テープは、使用の際に弱い力で容易に伸ばすことができ、かつその伸びた部分は縮みにくいため、様々な外周長さを有する物品を丸めたりして止着や包装などすることができ、さらに任意にその長さを調整して梱包などすることができるという利点を有する。
【図面の簡単な説明】
【図１】本発明の固定用テープの実例を示す断面図である。
【図２】図１の固定用テープを展開した際の概略図である。
【図３】本発明の固定用テープの実例を示す断面図である。
【図４】本発明の固定用テープの実例を示す断面図である。
【図５】本発明の固定用テープの実例を示す断面図である。
【図６】本発明の固定用テープの実例を示す断面図である。
【図７】本発明の固定用テープの実例を示す断面図である。
【図８】本発明の固定用テープの実例を示す断面図である。
【図９】本発明の固定用テープの実例を示す断面図である。
【図１０】本発明の固定用テープの使用形態を示す説明図である。
【図１１】本発明の固定用テープの使用形態を示す説明図である。
【図１２】本発明の固定用テープの使用形態を示す説明図である。
【図１３】本発明の固定用テープの使用形態を示す説明図である。
【符号の説明】
１          基材
Ａ１，Ａ２  厚層部
Ｂ          薄層部
２          粘着剤層
３          離型剤層
４          仮着手段
５          つまみ片
Ｃ          リリーステープ
【図１】
0003567032.tif 000004
【図２】
0003567032.tif 000005
【図３】
0003567032.tif 000006
【図４】
0003567032.tif 000007
【図５】
0003567032.tif 000008
【図６】
0003567032.tif 000009
【図７】
0003567032.tif 000010
【図８】
0003567032.tif 000011
【図９】
0003567032.tif 000012
【図１０】
0003567032.tif 000013
【図１１】
0003567032.tif 000014
【図１２】
0003567032.tif 000015
【図１３】
0003567032.tif 000016